(57)【要約】【課題】本考案は、留め具により上衣の内側の背中面に汗とりパッドをとりつけることにより、首と背中の汗を吸収し、乳幼児が動いた際に、汗とりパッドがずれたり、はずれたりすることを防止し、又、汗をかいた際は、すぐに、汗とりパッドをとりはずすことができるようにする。【解決手段】本考案は、上衣の内側の背中面の留め具８、９と、汗とりパッドの背当て部の留め具３、４を合わせ、首当て部５を上衣の衿を間に挟んで折り返し、首当て部の留め具２と上衣の留め具７を合わせることにより、上衣本体６に汗とりパッド本体１をとりつけ、汗とりパッド本体１が動くことを防止し、乳幼児の首と背中の汗をしっかり吸収するようにし、又、汗をかいた際は、上衣の左右の肩の留め具７、３をはずし、裾の留め具４をはずせば、汗とりパッドを上衣から引き抜くことができる。【選択図】図４
0003145566.tif 000002
【実用新案登録請求の範囲】
【請求項１】
上衣部の背中側の首わまりと同じ長さから始まり頭の方向へ放射状に広がる首当て部と両肩から腰に向かってのびる長方形の背当て部からなる汗とりパッドを上衣部と組みあわせることにより使用することを特徴とする。
【請求項２】
汗とりパッドの首当て部の最上部両端角にボタン通し用の穴があいている。背当て部の長方形の各角にひとつずつ、合計４つのボタンがついている。汗とりパッドと組み合わせて使用する上衣部には、背中側の首まわり両端に汗とりパッドの首当て部を折り返した時に一致する位置にボタンがついている。また、背中の両肩の端とすその両端に汗とりパッドの４つのボタンと一致する位置にボタン用の穴があいている。
【請求項３】
汗とりパッドの首当て部は折り返して使った際に使用可能な長さが確保されている。
【請求項４】
汗とりパッドは乳幼児にとって肌ざわりがよく、吸湿性のよい綿等が使用されるものとする。
【請求項５】
請求項２で記載したボタンはマジックテープもしくはホックなどの留め具でも代用可能とする。
【考案の詳細な説明】
【技術分野】
【０００１】本考案は乳幼児が就寝中や外出先で汗で濡れた服を着ていることを最小限におさえるための汗とりパッドと衣服の組み合わせに関するものである。
【背景技術】
【０００２】乳幼児は就寝ときやベビーカーに乗車中、或は夏季の歩行などにおいて、背中に多量の汗をかくことが多い。このような時、従来は、全部脱がせて服を着替えさせるか、服と背中の間にガーゼやハンドタオルを入れて汗を吸収させる方法が用いられていた。【０００３】しかし、外出時に代えの服やガーゼ等を持ち合わせていない時は、乳幼児に長時間濡れた服を着せることになり、風邪をひかせるおそれが多々ある。代えの服やガーゼをもっていても、寝ていた場合、わざわざ起こさなければならない。そこで、簡単に取りはずし可能な汗とりパッドが提案されていた。【０００４】
【特許文献１】特開２００６−４５７５０号公報
【考案の開示】
【考案が解決しようとする課題】
【０００５】簡単な取りはずし可能な汗とりパッドは引き抜くことに関しては非常にすぐれているが乳幼児が動きまわった場合は背中に付着しつづけることが難しい。【０００６】また、乳幼児が寝てから背中に汗とりパッドを入れるとしても、寝入りばなの乳幼児は敏感なので、起きてしまう可能性が高い。乳幼児は寝始めてから１時間位が最も多く汗をかくのでやはり課題がのこる。【０００７】また、あとから入れる場合、親が背中に入れ忘れることがある。
【課題を解決するための手段】
【０００８】乳幼児が動きまわってもとれないように、首まわりはボタン６と穴２を合わせることで背中はボタン３、４と穴７、８を合わせることで汗とりパッドが動かないように固定した。汗とりパッドを付け忘れたり、寝てから乳幼児につけたりすることのないように、最初から上衣につけた。汗をかいた後は、首すじから手を入れて、左右の肩についているボタン６と穴２の組み合せとボタン３と穴７の組み合わせをはずす。また腰の部分のボタン４と穴８の組み合わせをはずせば、上から汗とりパッドををぬくことができる。
【考案の効果】
【０００９】寝る前に就寝時に着る服に汗とりパッドがついていれば、乳幼児を起こす心配もないし、つけ忘れることもない。寝ている時に抜きとる場合も、ボタンなので指の感覚で、とりはずすことが可能。また上衣につけておくことにより、通常通り、服を着るだけで汗とりパッドをつけられ、服を着せてから汗とりパッドをつけるという２度手間がはぶける。首すじにそって汗とりパッドの首当て部を折り返して使用することにより、首すじの汗もきちんと吸収することができる。また風邪を引いた時などは、特に汗の量が増え、着替えの回数が増えるが、この考案で親にとっても乳幼児にとっても負担の軽減につながる。【００１０】夏季に外出する時も、外で遊びまわり汗をかいた時、動いたりずれたりすることがないので安心な上に、室内に入った時、クーラーなどで風邪をひかないよう、簡単に汗で濡れた汗とりパッドをとりのぞくことができる。
【実施例１】
【００１１】図４を見ていただくと汗とりパッドと上衣がボタンによって組み合わされた状態になっています。まず、上衣の背中面に汗とりパッドをとりつけます。ボタン４と穴８を合わせ、次にボタン３と穴７を合わせます。首当て部９を折り返し、先端の穴２にボタン６を通して完成です。汗とりパッドをとりたい時は、首すじから手を入れて、両肩にあるボタン６と３をはずします。次に腰の部分からボタン４をはずして、上から汗とりパッドをとりのぞきます。
【図面の簡単な説明】
【００１２】
【図１】汗とりパッドと上衣の背面を示した平面図である。
【図２】汗とりパッドと上衣を組み合わせた場合の平面図である。
【図３】首当て部を折り返した図である。
【図４】首当て部を折り返し、汗とりパッドと上衣を組み合わせた場合の平面図である。
【符号の説明】
【００１３】１  汗とりパッド本体
２  ボタン通し穴
３  ボタン
４  ボタン
５  上衣本体
６  ボタン
７  ボタン通し穴
８  ボタン通し穴
９  首当て部
１０  上衣の衿元
【図１】
0003145566.tif 000003
【図２】
0003145566.tif 000004
【図３】
0003145566.tif 000005
【図４】
0003145566.tif 000006
【手続補正書】
【提出日】平成20年1月18日(2008.1.18)
【手続補正１】
【補正対象書類名】実用新案登録請求の範囲
【補正対象項目名】全文
【補正方法】変更
【補正の内容】
【実用新案登録請求の範囲】
【請求項１】
上衣の内側の背中面に、横幅が上衣の肩幅とほぼ同じ長さで、縦幅が肩から腰あたりまである背当て部と背中面の首まわりと同じ幅から頭の方向へ放射状に広がり、折り返した際に、縦幅が上衣の衿の縦幅より長く、折り返し部分が耳より低い首当て部からなる汗とりパッドをとりつけることを特徴とする汗とりパッド付上衣。
【請求項２】
汗とりパッドの背当て部の両肩の端につけられた留め具と裾の両端にとりつけられた留め具を上衣の内側の背中面に重ねた時に一致する場所にとりつけられた上衣の留め具と汗とりパッドの背当て部の留め具を組み合わせ、又、汗とりパッドの首当て部先端の両側にとりつけられた留め具と、上衣の衿を挟んで汗とりパッドの首当て部を折り返した際に、上衣の背当て部の肩の留め具と平行になる位置にとりつけられた留め具を組み合わせることにより、上衣と汗とりパッドがくっつくことを特徴とする汗とりパッド付上衣。
【請求項３】
汗とりパッドは、乳幼児にとって肌ざわりがよく、吸湿性が良い素材が使用されることを特徴とする。
【手続補正２】
【補正対象書類名】明細書
【補正対象項目名】全文
【補正方法】変更
【補正の内容】
【考案の詳細な説明】
【技術分野】
【０００１】本考案は、とりはずし可能な汗とりパッドが内側の背中面につけられた汗とりパッド付上衣に関するものである。
【背景技術】
【０００２】乳幼児は就寝時やベビーカーに乗車中、或は夏場の歩行などにおいて、背中に多量の汗をかくことが多い。汗で濡れた服をそのまま着せておくことにより、体温を下げ、風邪をひかせることになる。さらに夏場は、外の暑さで汗をかいた薄手の上衣を着たまま建物に入るとクーラーの涼しさで、さらに体温が下がってしまう。従来は、服を全部脱がせて着替えさせるか、服と背中の間にガーゼやハンドタオルを入れて汗を吸収させる方法が用いられていた。【０００３】しかし、外出時に、替えの服やガーゼ等を持ち合わせていない時は、乳幼児に長時間、濡れた服を着させることになる。替えの服やガーゼを持っていても、寝ていた場合、わざわざ起こさなければならない。そこで簡単に取りはずし可能な汗とりパッドが提案されていた。
【特許文献１】特開２００６−４５７５０号公報
【考案の開示】
【考案が解決しようとする課題】
【０００４】従来の汗とりパッドは引き抜くことに関しては有効であるが、乳幼児が動きまわった場合は背中に付着しつづけることが難しい。【０００５】また、乳幼児が寝てから背中に汗とりパッドを入れるとしても、寝入りばなの乳幼児は敏感なので、起きてしまう可能性が高い。乳幼児は寝始めてから１時間位が最も多く汗をかくので、使用方法に課題が残る。【０００６】また、あとから入れる場合、親が背中に入れ忘れることがある。
【課題を解決するための手段】
【０００７】本考案は、上衣の内側の背中面に、横幅が上衣の肩幅とほぼ同じ長さで、縦幅が肩から腰あたりまである背当て部と背中面の首まわりと同じ幅から頭の方向へ放射状に広がり、折り返した際に、縦幅が上衣の衿の縦幅より長く、折り返し部分が耳より低い首当て部からなる汗とりパッドをとりつけることを特徴とするものである。また、本考案は、汗とりパッドの背当て部の両肩の端につけられた留め具と裾の両端にとりつけられた留め具を上衣の内側の背中面に重ねた時に一致する場所にとりつけられた上衣の留め具と汗とりパッドの背当て部の留め具を組み合わせ、又、汗とりパッドの首当て部先端の両側にとりつけられた留め具と、上衣の衿を挟んで汗とりパッドの首当て部を折り返した際に、上衣の背当て部の肩の留め具と平行になる位置にとりつけられた留め具を組み合わせることにより、上衣と汗とりパッドがくっつくことを特徴とするものである。また、本考案の汗とりパッドは、乳幼児にとって肌ざわりがよく、吸湿性が良い素材が使用されることを特徴とするものである。
【考案の効果】
【０００８】上述のように、本考案の汗とりパッド付上衣は、上衣に汗とりパッドをとりつけることにより、乳幼児が動きまわっても、背中や首から汗とりパッドがずれたり、はずれたりすることがない。首当て部で衿をしっかりと覆うので、上衣の衿も背中も汗で濡れることなく、汗とりパッドがしっかりと汗を吸収する。さらに、本考案により、上衣を着せてから、さらに汗とりパッドをとりつけるという手間が省け、普段通り、上衣を着せるだけで汗とりパッドが背中に付着し、又、入れ忘れるという心配もない。風邪をひいた時など、汗の量が増え、着替えの回数が増えるが、この考案で、親にとっても、乳幼児にとっても負担が軽減する。就寝時に着る上衣に汗とりパッドが、ついていれば、寝た乳幼児を起こすことなく、寝汗をしっかりと吸収できる。また、外出した際も、着替えやガーゼをもっていなくても汗とりパッドがついているので、濡れた汗とりパッドを取りはずすだけで済む。【０００９】取りはずす際は、左右についている肩の留め具を２つずつはずし、裾の留め具をはずせば、汗とりパッドを上衣からとりはずし、上からでも下からでも抜きとることができる。
【実施例１】
【００１０】上衣を着用する前に、上衣の内側の背中面に汗とりパッドをとりつける。汗とりパッドの背当て部と、上衣の背中面のそれぞれ四方端につけられた留め具を合わせ、首当て部を、衿を挟んで外側に折り返し、首当て部の先端の両側についている留め具と上衣の肩の首寄りについている留め具を合わせる。完成したら乳幼児に着せ、汗をかいたら、左右の肩の留め具をはずし、裾の留め具をはずせば、汗とりパッドを上衣から引き抜くことができ、乳幼児は汗で濡れた状態から解放される。
【図面の簡単な説明】
【００１１】
【図１】留め具をボタンとした際の汗とりパッドと上衣の背面を示した平面図である。
【図２】留め具をボタンとした際の汗とりパッド付上衣の平面図である。
【図３】留め具をボタンとした際の首当て部を折り返した図である。
【図４】留め具をボタンとし、首当て部を折り返した状態の汗とりパッド付上衣の平面図である。
【符号の説明】
【００１２】１  汗とりパッド本体
２  留め具
３  留め具
４  留め具
５  首当て部
６  上衣本体
７  留め具
８  留め具
９  留め具
１０  上衣の衿元
【手続補正３】
【補正対象書類名】図面
【補正対象項目名】全図
【補正方法】変更
【補正の内容】
【図１】
0003145566.tif 000007
【図２】
0003145566.tif 000008
【図３】
0003145566.tif 000009
【図４】
0003145566.tif 000010
【手続補正書】
【提出日】平成20年4月18日(2008.4.18)
【手続補正１】
【補正対象書類名】実用新案登録請求の範囲
【補正対象項目名】全文
【補正方法】変更
【補正の内容】
【実用新案登録請求の範囲】
【請求項１】
上衣の内側の背中面に、横幅が上衣の肩幅とほぼ同じ長さで、縦幅が肩から腰あたりまである背当て部と背中面の首まわりと同じ幅から頭の方向へ放射状に広がり、折り返した際に、縦幅が上衣の衿の縦幅より長く、折り返し部分が耳より低い首当て部からなる汗とりパッドをとりつけることを特徴とする汗とりパッド付上衣。
【請求項２】
汗とりパッドの背当て部の両肩の端につけられた留め具と裾の両端にとりつけられた留め具を上衣の内側の背中面に重ねた時に一致する場所にとりつけられた上衣の留め具と汗とりパッドの背当て部の留め具を組み合わせ、又、汗とりパッドの首当て部先端の両側にとりつけられた留め具と、上衣の衿を挟んで汗とりパッドの首当て部を折り返した際に、上衣の背当て部の肩の留め具と平行になる位置にとりつけられた留め具を組み合わせることにより、上衣と汗とりパッドがくっつくことを特徴とする汗とりパッド付上衣。
【請求項３】
汗とりパッドは、乳幼児にとって肌ざわりがよく、吸湿性が良い素材が使用されることを特徴とする請求項１記載の汗とりパッド付上衣。